(57)【要約】 【課題】  複数回の撮影において被検者の負担を抑制しつつ、好適な撮影画像を得ることのできる眼底撮影装置を提供する。【解決手段】  眼底撮影装置は、被検者眼の眼底を可視光で照明する照明光学系と、撮像素子を有し、照明光学系により照明された眼底を撮影する撮影光学系と、可視光の照明光量を調節する調光手段と、撮像素子にて得られる撮影信号を増幅させる信号増幅手段と、撮影光学系を用いて、第１の撮影、第２の撮影の順で被検者眼を撮影する一括撮影モードを設定する設定部と、調光手段と信号増幅手段を制御する制御手段とを備えている。設定部により一括撮影モードが設定された場合、制御手段は第２の撮影の際には、信号増幅手段を用いて第１の撮影時における撮影信号よりも撮影信号を増幅させる制御を行うとともに，調光手段を用いて第２の撮影の際の照明光量を第１の撮影時の照明光量よりも減光させる制御を行う。【選択図】      図７
2017064188.tif 000002
【特許請求の範囲】
【請求項１】
被検者眼の眼底を可視光で照明する照明光学系と、
撮像素子を有し、前記照明光学系により照明された眼底を撮影する撮影光学系と、
前記可視光の照明光量を調節する調光手段と、
前記撮像素子にて得られる撮影信号を増幅させる信号増幅手段と、
前記撮影光学系を用いて、第１の撮影、第２の撮影の順で前記被検者眼を撮影する一括撮影モードを設定する設定部と、
前記調光手段と前記信号増幅手段を制御する制御手段と、
を備え、
前記設定部により前記一括撮影モードが設定された場合、
前記制御手段は前記第２の撮影の際には、前記信号増幅手段を用いて前記第１の撮影時における前記撮影信号よりも該撮影信号を増幅させる制御を行うとともに，前記調光手段を用いて前記第２の撮影の際の照明光量を前記第１の撮影時の照明光量よりも減光させる制御を行う、  
ことを特徴とする眼底撮影装置。
【請求項２】
請求項１に記載の眼底撮影装置において、
前記制御手段は前記第１の撮影において得られる撮影画像の明るさと、前記第２の撮影において得られる撮影画像の明るさとが同等となるように、前記調光手段による減光と前記信号増幅手段による前記撮影信号の増幅とを行う
ことを特徴とする眼底撮影装置。
【請求項３】
請求項１または２に記載の眼底撮影装置において
前記第１の撮影は被検者眼の眼底画像を１枚得る目的でカラー撮影する通常の眼底撮影であり、前記第２の撮影は被検者の眼底を立体的に撮影するための立体撮影である、
ことを特徴とする眼底撮影装置。
【発明の詳細な説明】
【技術分野】
【０００１】
本開示は、被検者眼を撮影する眼底撮影装置に関する。
【背景技術】
【０００２】
被検者眼の眼底を撮影する眼底撮影装置が知られている。このような眼底撮影装置は、診断目的に応じた種々の撮影モードを備えている。例えば、特許文献１の眼底撮影装置は、１枚のカラー眼底画像を得ることを目的とする通常の眼底撮影（以下、単に通常撮影と略す）とは別に、アライメント基準位置に対して装置本体を左右各々の側にずらして被検者眼の眼底を立体撮影する機能や広い領域の眼底画像を得る目的でパノラマ撮影機能を持つ眼底撮影装置を開示する。
【先行技術文献】
【特許文献】
【０００３】
【特許文献１】特開２０１１−０９７９９８号公報
【発明の概要】
【発明が解決しようとする課題】
【０００４】
眼底撮影装置においては、被検者の眼の状態によっては一回の撮影で良好な眼底画像を得ることができないこともあり、場合によっては通常撮影を複数回行っておきたい場合もある。また、複数の撮影モードを持つ眼底撮影装置においては、通常撮影と他の撮影とを連続で行うこともある。しかしながら、このような眼底撮影装置では、撮影モードにかかわらず一回の撮影に対する被検者眼への撮影光量が大きいため、撮影回数が増えるほど被検者への負担は大きい。また、撮影回数が増えることによって眼の縮瞳量が増え、短時間で好適な撮影画像を得ることが困難となる
【０００５】
本開示は、複数回の撮影において被検者の負担を抑制しつつ、好適な撮影画像を得ることのできる眼底撮影装置を提供することを技術課題とする。
【課題を解決するための手段】
【０００６】
上記課題を解決するために、本開示に係る眼底撮影装置は以下のような構成を備える。
被検者眼の眼底を可視光で照明する照明光学系と、撮像素子を有し、前記照明光学系により照明された眼底を撮影する撮影光学系と、前記可視光の照明光量を調節する調光手段と、前記撮像素子にて得られる撮影信号を増幅させる信号増幅手段と、前記撮影光学系を用いて、第１の撮影、第２の撮影の順で前記被検者眼を撮影する一括撮影モードを設定する設定部と、前記調光手段と前記信号増幅手段を制御する制御手段と、を備え、
前記設定部により前記一括撮影モードが設定された場合、
前記制御手段は前記第２の撮影の際には、前記信号増幅手段を用いて前記第１の撮影時における前記撮影信号よりも該撮影信号を増幅させる制御を行うとともに，前記調光手段を用いて前記第２の撮影の際の照明光量を前記第１の撮影時の照明光量よりも減光させる制御を行う、ことを特徴とする。
【発明の効果】
【０００７】
本開示によれば、複数回の撮影において被検者の負担を抑制しつつ、好適な撮影画像を得ることができる。
【図面の簡単な説明】
【０００８】
【図１】本実施形態に係わる眼底撮影装置の外観構成図である。
【図２】撮影部に収納される光学系及び制御系の概略構成図である。
【図３】前眼部像に関する図である。
【図４】アライメント位置に関する説明図である。
【図５】通常撮影時の画像に関する説明図である。
【図６】ステレオ撮影時の画像に関する説明図である。
【図７】撮影制御の全体流れに関するフローチャートである。
【図８】通常撮影制御に関するフローチャートである。
【図９】ステレオ撮影制御に関するフローチャートである。
【図１０】各撮影でのパラメータに関する表である。
【発明を実施するための形態】
【０００９】
以下、図面を用いて、本開示における典型的な実施形態を説明する。図１は本実施形態に係る眼底撮影装置１の外観構成図である。なお、本実施形態の眼底撮影装置１は、無散瞳眼底カメラと呼ばれることがある。無散瞳眼底カメラとは、散瞳剤を被検者眼Ｅに点眼させることなく、被検者眼Ｅの眼底を撮影する眼底撮影装置である。本実施形態の眼底撮影装置１は、被検者眼を赤外光で観察した後に可視光で撮影する。これにより、自然散瞳状態の被検者眼Ｅを撮影できる。
【００１０】
本実施形態の眼底撮影装置１は、基台７と、移動台２と、撮影部３と、顔支持ユニット５を備える。移動台２は、基台７に対して左右方向（Ｘ方向）及び前後（作動距離）方向（Ｚ方向）に移動可能に設けられている。撮影部３は、移動台２に対して３次元方向に移動可能に設けられている。また、撮影部３には、後述する光学系（眼底観察・撮影光学系３０等）が収納されている。顔支持ユニット５は、被検者の顔を支持するため用いられる。顔支持ユニット５は、基台７に固設されている。また、本実施形態の眼底撮影装置１は自動移動機構を備える。自動移動機構には、電動機が含まれる。本実施形態の自動移動機構は、撮影部３を被検者眼Ｅに対して相対移動させるために用いられる。詳細には、本実施形態の眼底撮影装置１は、ＸＹＺ駆動部６を備える。ＸＹＺ駆動部６は、移動台２に設けられている。本実施形態の撮影部３は、ＸＹＺ駆動部６により、被検者眼Ｅに対して左右方向、上下方向（Ｙ方向）及び前後方向に移動可能とされている。ＸＹＺ駆動部６は、制御部８０に接続されている。制御部８０は、ＸＹＺ駆動部６を駆動制御できる。
【００１１】
本実施形態の眼底撮影装置１は、手動移動機構を備える。本実施形態の手動移動機構は、撮影部３を被検者眼Ｅに対して相対的に移動させるために用いられる。本実施形態では、ジョイスティック４（操作部材）の操作により、撮影部３を被検者眼Ｅに対して相対的に移動可能とされている。本実施形態の眼底撮影装置１は、摺動機構を備える。本実施形態の摺動機構は、移動台２を基台７上でＸＺ方向に摺動させるために用いられる。例えば、検者がジョイスティック４を操作すると、移動台２は基台７上をＸＺ方向に摺動される。本実施形態のジョイスティック４は、回転ノブ４ａを含む。検者が回転ノブ４ａを回転操作すると、制御部８０がＸＹＺ駆動部６をＹ駆動して、撮影部３がＹ方向に移動される。本実施形態の撮影部３の検者側には、モニタ８が設けられている。本実施形態のモニタ８には、眼底観察像、診断像（眼底撮影像）、前眼部観察像等が表示される。
【００１２】
図２は、撮影部３に収納される光学系及び制御系の概略構成図である。本実施形態の眼底撮影装置１の光学系は、照明光学系１０、眼底観察・撮影光学系３０、アライメント指標投影光学系５０、前眼部観察光学系６０、および固視標呈示光学系７０を含む。本実施形態の眼底観察・撮影光学系３０は、被検者眼Ｅの眼底を観察または撮影するために用いられる。本実施形態の撮影部３には、撮影光学系３０ａと眼底観察光学系３０ｂが含まれる。本実施形態の撮影光学系３０ａは、被検者眼Ｅの眼底を撮影するために用いられる。本実施形態の眼底観察光学系３０ｂは、眼底を観察するために用いられる。なお、眼底観察・撮影光学系３０を用いて、被検者眼Ｅの前眼部を観察または撮影してもよい。
【００１３】
＜照明光学系＞
本実施形態の照明光学系１０は、観察照明光学系１０ａと撮影照明光学系１０ｂを含む。本実施形態の撮影照明光学系１０ｂは、撮影光源１４、コンデンサレンズ１５、リングスリット１７、リレーレンズ１８、ミラー１９、黒点板２０、リレーレンズ２１、孔あきミラー２２、および対物レンズ２５を含む。本実施形態の撮影光源１４は、被検者眼Ｅを撮影するための光源として用いられる。本実施形態の撮影光源１４は、撮影時に閃光（換言するならパルス光）を出射できる。本実施形態では、撮影光源１４として、フラッシュランプを用いている。撮影光源１４として、ＬＥＤ等を用いてもよい。本実施形態の撮影照明光学系１０ｂは、被検者眼Ｅに撮影光を投光するために用いられる。詳細には、本実施形態の撮影照明光学系１０ｂは、被検者眼Ｅの眼底を撮影光で照明するために用いられる。本実施形態では、撮影光として可視光を投光する。詳細には、撮影光として、波長帯が４００〜７００ｎｍの可視光を被検者眼Ｅに投光する。本実施形態の眼底撮影装置１は、撮影照明光学系１０ｂと撮影光学系３０ａを用いて、色再現性が良好な被検者眼Ｅのカラー画像を取得できる。
【００１４】
本実施形態の観察照明光学系１０ａは、ハロゲンランプ等の光源１１、赤外フィルタ１２、コンデンサレンズ１３、およびダイクロイックミラー１６を有する。赤外フィルタ１２は、波長７５０ｎｍ以上の赤外光（近赤外光）を透過する。ダイクロイックミラー１６は、コンデンサレンズ１３とリングスリット１７の間に配置されている。本実施形態の観察照明光学系１０ａは、リングスリット１７から対物レンズ２５までの光学系を、撮影照明光学系１０ｂと共用する。ダイクロイックミラー１６は、光源１１からの光を反射して、撮影光源１４からの光を透過する特性を有する。観察照明光学系１０ａは、被検者眼Ｅに観察光を投光するために用いられる。詳細には、観察照明光学系１０ａは、被検者眼Ｅの眼底を観察光で照明するために用いられる。本実施形態の観察照明光学系１０ａは、観察光として赤外光を投光する。本実施形態の眼底撮影装置１は、観察照明光学系１０ａと眼底観察光学系３０ｂを用いて、被検者眼Ｅの縮瞳を抑制しつつ、被検者眼Ｅを観察できる。
【００１５】
本実施形態の眼底撮影装置１は、撮影光量の調光手段を備えている。本実施形態の制御部８０は、撮影光源１４から発せられる撮影光の光量を調節可能である。本実施形態の制御部８０は、撮影光源１４（フラッシュランプ）に接続されている充電コンデンサの容量を変化（切り換え）させて、撮影光の光量を変化させることができる。本実施形態では、被検者眼Ｅに投光する撮影光の光量を、Ｌｖ．１〜１７（１７ステップ）の設定範囲で調節可能とされている。なお、被検者眼Ｅに投光する撮影光量は、Ｌｖ．１設定時が最も小さく、Ｌｖ．１７設定時が最も大きい。各ステップ間の光量変化は、０．５ＥＶ（ＥＶ値：Ｅｘｐｏｓｕｒｅ  Ｖａｌｕｅ）とされている。例えば、発光量の設定がＬｖ．４からＬｖ．８へと変更されると、被検者眼Ｅに投光する撮影光の光量は４倍となる。例えば、撮影光源１４の発光エネルギーを、Ｌｖ．４では５Ｗｓとして、Ｌｖ．８では２０Ｗｓとしてもよい。また、調光手段で調光可能なステップ数、各ステップ間の光量変化量等を、適宜変更してもよい。例えば、眼底撮影装置１が、自動露出（ＡＥ：Ａｕｔｏ  Ｅｘｐｒｏｓｕｒｅ）機能を有してもよい。例えば、制御部８０が、撮像素子３８の出力信号（観察像）を解析して、撮影光量を調光制御してもよい。
【００１６】
＜眼底観察・眼底撮影光学系＞
本実施形態の眼底観察・撮影光学系３０は、対物レンズ２５、撮影絞り３１、フォーカシングレンズ３２、結像レンズ３３、および跳ね上げミラー３４を備える。本実施形態の撮影絞り３１は、孔あきミラー２２の開口近傍に配置される。本実施形態の撮影絞り３１には、円形形状の開口部が形成されている。本実施形態では、撮影絞り３１の開口部の中心を撮影光軸Ｌ１が通る。フォーカシングレンズ３２には、移動機構４９が接続されている。移動機構４９により、フォーカシングレンズ３２は、撮影光軸Ｌ１に沿って移動可能とされている。跳ね上げミラー３４には、挿脱機構３９が接続されている。挿脱機構３９により、跳ね上げミラー３４は、撮影光軸Ｌ１上に挿脱可能とされている。本実施形態では、制御部８０の制御により、跳ね上げミラー３４は、被検者眼Ｅを観察する際には撮影光軸Ｌ１上に挿入されて、被検者眼Ｅを撮影する際には撮影光軸Ｌ１上から離脱される。
【００１７】
本実施形態の撮影光学系３０ａと眼底観察光学系３０ｂは、対物レンズ２５から結像レンズ３３までの光学系を共用する。撮影絞り３１は、対物レンズ２５を介して被検者眼Ｅの瞳孔と共役となる位置に配置されている。本実施形態の撮影絞り３１は、撮影光学系３０ａ（または眼底観察光学系３０ｂ）の開口絞りとして作用する。本実施形態の撮像素子３５（受光素子）は、可視域の感度を有する。跳ね上げミラー３４の反射方向の光路には、ダイクロイックミラー３７、リレーレンズ３６、および撮像素子３８が配置されている。撮像素子３８（受光素子）は、赤外域に感度を有する。ダイクロイックミラー３７は、赤外光を反射して、可視光を透過する特性を有する。本実施形態の眼底観察・撮影光学系３０は、対物レンズ２５を介して４２°以上の撮影画角（例えば、４５°）にて眼底を撮像可能とされている。本実施形態では、撮像素子３８（観察用）と撮像素子３５（撮影用）とが、光学的に略共役な位置関係にある。本実施形態の制御部８０は、撮像素子３８の出力信号を解析した結果に基づいて、被検者眼Ｅの撮影部位（眼底）と撮像素子３５とが光学的に共役の位置関係となるようにフォーカシング（フォーカシングレンズ３２を撮影光軸Ｌ１に沿って移動させる）を行う。
【００１８】
本実施形態では、対物レンズ２５と孔あきミラー２２の間に、ダイクロイックミラー２４（波長選択性ミラー）が斜設されている。ダイクロイックミラー２４は、光路分岐部材である。本実施形態のダイクロイックミラー２４は、撮影光軸Ｌ１上に挿脱可能とされている。本実施形態のダイクロイックミラー２４は、アライメント指標投影光学系５０および前眼部照明光源５８の波長光（中心波長９４０ｎｍ）を反射して、眼底観察用照明の波長光の光源波長（中心波長８８０ｎｍ）を含む波長９００ｎｍ以下の光を透過する特性を有する。本実施形態のダイクロイックミラー２４は、撮影時には挿脱機構６６により連動して跳ね上げられ、光路外に退避される。挿脱機構６６を、ソレノイドとカムの組合せ等で構成してもよい。
【００１９】
光源１１から発せられる可視光は、赤外フィルタ１２により赤外光（中心波長８８０ｎｍ）に変換される。赤外フィルタ１２を透過した光（赤外光）は、コンデンサレンズ１３を透過した後に、ダイクロイックミラー１６により反射されて、リングスリット１７を照明する。リングスリット１７の開口部を通過した光は、リレーレンズ１８、ミラー１９、黒点板２０、リレーレンズ２１を経て、孔あきミラー２２に達する。孔あきミラー２２のミラー箇所で反射された光（赤外光）は、ダイクロイックミラー２４を透過して、対物レンズ２５により被検者眼Ｅの瞳孔付近で一旦収束した後に、拡散して、被検者眼Ｅの眼底を照明する。
【００２０】
眼底からの反射光（換言するなら、眼底で反射された赤外光）は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８上に集光される。これにより、被検者眼Ｅの眼底の観察像（赤外光による像）が得られる。
【００２１】
撮影光源１４から発せられる光は、コンデンサレンズ１５を介して、ダイクロイックミラー１６を透過した後、眼底観察用の照明光と同様の光路を経て、被検者眼Ｅの眼底を可視光で照明する。眼底からの反射光（可視光）は、対物レンズ２５、孔あきミラー２２の開口部、撮影絞り３１、フォーカシングレンズ３２、結像レンズ３３を経て、撮像素子３５に集光される。これにより、被検者眼Ｅの眼底の撮影像（可視光による像）が得られる。
【００２２】
本実施形態では、撮像素子３８（観察用）、撮像素子３５（撮影用）、および後述する撮像素子６５に、二次元撮像素子を用いている。詳細には、撮像素子３８および撮像素子６５にはＣＣＤイメージセンサーを用いて、撮像素子３５にはＣＭＯＳイメージセンサーを用いている。本実施形態では、撮像素子３５内で、光電変換された撮像信号（受光信号）に対する増幅処理、Ａ／Ｄ変換等が行われる。本実施形態の撮像素子３５は、受光感度を調節する感度調節手段を有している。詳細には、本実施形態の撮像素子３５には、増幅率を可変できる増幅器が含まれている。制御部８０は、増幅器の増幅率を調節可能である。換言するなら、本実施形態の制御部８０は、撮像素子３５の受光感度を調節可能である。本実施形態の制御部８０は、撮像素子３５の受光感度を例えばＩＳＯ５０〜８００の設定範囲で調節できる。仮に、制御部８０が撮像素子のＩＳＯ感度をＩＳＯ１００からＩＳＯ４００へと変更すると、撮像素子３５の受光感度は４倍となる。つまり、撮影光学系３０ａの受光感度が４倍となる。
【００２３】
なお、感度調節手段の態様は、本実施形態に限るものではない。例えば、撮像素子に接続された増幅回路等、撮像素子から出力される撮影信号を増幅させることのできる信号増幅手段であればよい。このような信号増幅手段によって感度（撮影信号）を増幅させることが可能である。
【００２４】
＜アライメント指標投影光学系＞
本実施形態のアライメント指標投影光学系５０は、被検者眼Ｅに撮影部３を位置合わせするための指標を投影するために用いられる。本実施形態のアライメント指標投影光学系５０は、図２の左上の点線Ａ内の図に示すように、撮影光軸Ｌ１を中心として同心円上に赤外光源が複数個配置されている。アライメント指標投影光学系５０は、第１指標投影光学系と第２指標投影光学系を備える。詳細には、第１指標投影光学系は、赤外光源５１とコリメーティングレンズ５２を含む。赤外光源５１とコリメーティングレンズ５２は、撮影光軸Ｌ１に対して左右対称に配置されている。第２指標投影光学系は、２つの赤外光源５３を含む。２つの赤外光源５３は、第１指標投影光学系とは異なる位置に配置されている。第１指標投影光学系は、被検者眼Ｅの角膜に無限遠の指標を左右方向から投影する。本実施形態の第２指標投影光学系は、被検者眼Ｅの角膜に有限遠の指標を斜め下方向から投影する。なお、図２の本図には、便宜上、第１指標投影光学系と第２指標投影光学系を撮影光軸Ｌ１に対して９０°旋回させた状態で図示している。
【００２５】
＜前眼部観察光学系＞
本実施形態の前眼部観察光学系６０は、被検者眼Ｅの前眼部を撮像するために用いられる。本実施形態の前眼部観察光学系６０は、ダイクロイックミラー２４の反射側に、フィールドレンズ６１、ミラー６２、絞り６３、リレーレンズ６４、撮像素子６５を備える。撮像素子６５は、赤外域の感度を有する。撮像素子６５は、アライメント指標検出用の撮像手段を兼ねる。本実施形態では、中心波長９４０ｎｍの赤外光を発する前眼部照明光源５８により照明された前眼部とアライメント指標とが撮像素子６５で撮像される。前眼部照明光源５８により照明された前眼部は、対物レンズ２５、ダイクロイックミラー２４及びフィールドレンズ６１からリレーレンズ６４の光学系を介して撮像素子６５により受光される。アライメント指標投影光学系５０が持つ光源から発せられたアライメント光束は、被検者眼Ｅの角膜に投影されて、その角膜で反射した光は、対物レンズ２５〜リレーレンズ６４を介して撮像素子６５で受光される。撮像素子６５の出力信号は、制御部８０に入力される。図３に示すように、モニタ８には、撮像素子６５により撮像された前眼部像が表示される。前眼部観察光学系６０は、被検者眼Ｅに対する撮影部３のアライメントずれを検出（検知）するための受光素子（撮像素子６５）を有するアライメント検出光学系を兼用する。
【００２６】
＜固視標呈示光学系＞
本実施形態の固視標呈示光学系７０は、被検者眼Ｅを固視させるための固視標を呈示するために用いられる。本実施形態の固視標呈示光学系７０は、光源７４、遮光板７１、およびリレーレンズ７５を備える。光源７４は、赤色で点灯する。遮光板７１には、開口穴が形成されている。固視標呈示光学系７０は、対物レンズ２５からダイクロイックミラー３７までの光路を眼底観察・撮影光学系３０と共用する。本実施形態の固視標呈示光学系７０は、固視標の呈示位置を変化できる。これにより、被検者眼Ｅの視線を所定方向に誘導できる（例えば、特開２００５−９５４５０号公報参照）。本実施形態の制御部８０は、固視標の呈示位置を制御できる。
【００２７】
本実施形態では、光源７４により遮光板７１が背後から照明されることで固視標（固視灯）となる。光源７４から発せられて、遮光板７１を通過する光は、リレーレンズ７５、ダイクロイックミラー３７、跳ね上げミラー３４、結像レンズ３３、フォーカシングレンズ３２、孔あきミラー２２、ダイクロイックミラー２４、対物レンズ２５の順で通過して、被検者眼Ｅの眼底に集光される。換言するなら、被検者は、遮光板７１に形成されている開口部を固視標として視認する。例えば、光源７４と遮光板７１の代わりに、ドットマトリクスＬＥＤ、液晶ディスプレイ、有機ＥＬパネル等を用いてもよい。固視標呈示光学系７０により、被検者眼Ｅの視線方向を誘導できればよい。
【００２８】
なお、本実施形態の通常撮影時は、遮光板７１の開口部と光軸Ｌ２とを略位置させた状態で、固視標を被検者眼Ｅに呈示する。これにより、被検者眼Ｅの乳頭と黄斑の中間位置が撮影光軸Ｌ１上に配置されて、標準部位（図５（ａ）参照）の撮影が行われる。一方で、本実施形態の立体撮影（以下、ステレオ撮影と記す）時は、遮光板７１の開口部を光軸Ｌ２から十分離間させた状態で、固視標を被検者眼Ｅに呈示する。これにより、被検者眼Ｅの乳頭が撮影光軸Ｌ１上に配置されて、眼底の部位としては周辺部位である乳頭中心（図６（ａ），（ｂ）参照）の撮影が行われる。
【００２９】
＜制御系＞
本実施形態の制御部８０は、ＣＰＵ８１、ＲＡＭ８２、ＲＯＭ８３、および不揮発性メモリ８６等を備える。ＣＰＵ８１は、眼底撮影装置１における各部の制御を司る。ＲＡＭ８２は、各種情報を一時的に記憶する。ＲＯＭ８３には、各種プログラム、初期値等が記憶されている。不揮発性メモリ８６は、電源の供給が遮断されても記憶内容を保持できる非一過性の記憶媒体である。例えば、制御部８０に着脱可能に装着されるＵＳＢメモリ、制御部８０に内蔵されたフラッシュＲＯＭ等を、不揮発性メモリ８６として使用してもよい。不揮発性メモリ８６を、眼底撮影装置１の撮影に関するパラメータの値を記憶する記憶手段として用いてもよい。記憶手段として、ＲＡＭ８２、ＲＯＭ８３、または他の状態保持媒体（例えばディップＳＷ等）を用いてもよい。
【００３０】
本実施形態の制御部８０には、撮像素子６５、撮像素子３８、および撮像素子３５が接続されている。本実施形態の制御部８０は、撮像素子６５で撮像された前眼部像からアライメント指標を検出する。本実施形態の制御部８０には、モニタ８が接続されている。本実施形態の制御部８０は、モニタ８に表示させる表示内容を制御する。つまり、本実施形態の制御部８０は、表示制御手段としての機能を有する。本実施形態の制御部８０には、ＸＹＺ駆動部６、移動機構４９、挿脱機構３９、回転ノブ４ａ、撮影スイッチ４ｂ、各種のスイッチを持つスイッチ部８４、診断用画像を記憶するためのメモリ８５（記憶手段）、各光源等が接続されている。制御部８０に、プリンタを接続してもよい。制御部８０に、ＬＡＮケーブルを接続してもよい。本実施形態の制御部８０は、後述する診断用画像（診断用画像ＩＭＧｂ，ＩＭＧｆ）を、眼底撮影装置１に接続されるプリンタにプリントさせる、または、ＬＡＮケーブル等を用いて眼底撮影装置１の外部に転送／保存させる出力制御手段としても働く。
【００３１】
なお、本実施形態の制御部８０は、撮像素子６５（受光素子）から出力される受光信号（撮像素子６５の受光結果）に基づいて被検者眼Ｅに対する撮影部３のアライメントずれを検出する。制御部８０は、アライメントずれの検出結果に基づいてＸＹＺ駆動部６に駆動信号を出力する。眼底観察用の撮像素子３８の受光結果を用いて、被検者眼Ｅに対するアライメントずれを検出してもよい。例えば、孔あきミラー２２の近傍にアライメント光源を設けて、撮像素子３８によって眼底像と共に検出されたアライメント輝点の位置からアライメントずれを検出しても良い。
【００３２】
＜各撮影モード＞
本実施形態の眼底撮影装置１は、通常撮影モード、ステレオ撮影モード、および一括撮影モードを備える。各撮影モードはスイッチ部（設定部）８４の操作により選択可能とされている。本実施形態の通常撮影とは、１回の撮影により診断用画像を生成する撮影方法である。本実施形態のステレオ撮影とは、２回の撮影により立体的な診断画像を生成する撮影方法である。本実施形態の通常撮影モードは、通常撮影のみが行える撮影モードとされている。本実施形態のステレオ撮影モードは、ステレオ撮影のみが行える撮影モードとされている。本実施形態の一括撮影モードは、通常撮影とステレオ撮影とを一連の撮影流れで連続して行われる撮影モードとされている。換言するなら、本実施形態の一括撮影モードとは、種類が異なる撮影を、撮影モードを切り換えることなく行える動作モードとされている。
【００３３】
なお、本実施形態では、通常撮影モードの通常撮影シーケンスと、一括撮影モードの通常撮影シーケンスとが大部分で一致する。また、通常撮影モードの通常撮影シーケンスと、一括撮影モードの通常撮影シーケンスとも大部分で一致する。以降では、先ず、一括撮影モードの各動作を説明した後に、通常撮影モードおよびステレオ撮影モードの動作を、一括撮影モードとの相違点を中心として説明する。
【００３４】
＜一括撮影モード＞
図３〜図１０を用いて、本実施形態の眼底撮影装置１が有する一括撮影モードの説明を行う。
【００３５】
＜一括撮影モード・全体の流れ＞
先ず、図７で示すフローチャートを用いて、一括撮影モードでの全体の流れを説明する。一括撮影モードでは、通常撮影、ステレオ撮影、出力の順で制御が遷移される。ステップＳ１０１では、通常撮影方法により第１の診断用画像（第１の撮影）を構築する。ステップＳ１０２では、ステレオ撮影方法により第２の診断用画像（第２の撮影）を構築する。ステップＳ１０３では、ステップＳ１０１で構築した第１の診断用画像とステップＳ１０２で構築した第２の診断用画像を、眼底撮影装置１から出力する。
【００３６】
検者の操作により眼底撮影装置１に電源が投入されると、制御部８０は、初期動作を行った後に、モニタ８に前眼部観察像を表示させて、スタンバイ状態となる。スタンバイ状態にて、制御部８０は、スイッチ部８４の操作を検出して、一括撮影モードを選択する。制御部８０は、一括撮影モードが選択・設定されたことを検出すると、ステップＳ１０１の制御を実行する。
【００３７】
＜一括撮影モード・通常撮影＞
図８は、前述したステップＳ１０１（通常撮影処理）での制御の流れを示すフローチャートである。通常撮影処理として、制御部８０は、先ず、ステップＳ２０１を実行する。ステップＳ２０１にて、制御部８０は、通常撮影用として、眼底撮影装置１の各パラメータを設定する。図１０（ｂ）は、制御部８０が設定するパラメータの一例である。制御部８０は、次のようにパラメータを設定する。先ず、固視標呈示位置を、中心に設定する。次いで、撮像素子３５のＩＳＯ感度を、所定の感度（例えば、ＩＳＯ１００）に設定する。次いで、撮影光量を、Ｌｖ．８に設定する。次いで、アライメント目標位置を、角膜頂点として設定する。なお、固視標呈示位置を中心に設定するとは、被検者眼Ｅの乳頭と黄斑の中間位置と、撮影光軸Ｌ１とが重なるように、固視標を呈示（点灯）させる状態である。
【００３８】
ステップＳ２０２にて、制御部８０は、アライメント処理を行う。制御部８０は、リング状に投影された指標像Ｍａ〜Ｍｄ（図３参照）により形成されるリング形状の中心のＸＹ座標を、仮想の角膜頂点位置Ｍｏ（図３参照）として検出する。制御部８０は、検出した角膜頂点位置Ｍｏをアライメント目標位置Ｏ１（図４参照）として設定する。次いで、制御部８０は、撮影光軸Ｌ１とアライメント目標位置Ｏ１（つまり角膜頂点位置Ｍｏ）とが一致するように、ＸＹＺ駆動部６を駆動制御する（図４を合わせて参照）。また、制御部８０は、無限遠の指標像Ｍａ，Ｍｂの像間隔ａ（図３参照）と有限遠の指標像Ｍｃ，Ｍｄの像間隔ｂ（図３参照）との像比率（ａ／ｂ）を比較することにより、Ｚ方向のアライメント偏位量を求める（詳しくは、特開平６−４６９９９号参照）。制御部８０は、求めたＺ方向のアライメント偏位量に基づいて、ＸＹＺ駆動部６を駆動制御する。被検者眼Ｅと撮影部３のアライメント関係が、所定の許容範囲内に収まると、制御部８０は、自動アライメント動作を一旦停止させる。以降の説明で、上述したアライメント制御を、オートトラッキングと呼ぶ場合がある。
【００３９】
次いで制御部８０は、フォーカシングレンズ３２を駆動して、被検者眼Ｅの眼底に対するフォーカシングを行う。詳細には、撮像素子３８の出力信号（観察像）を解析して、眼底と撮像素子３５とが共役の位置関係になるようにフォーカシングレンズを駆動する。本実施形態では、撮像素子３８が撮像する眼底観察像のコントラストにより、眼底に対するフォーカス状態を判断する。以降の説明で、上述したフォーカシング制御を、オートフォーカスと呼ぶ場合がある。なお、本実施形態では、フォーカシング中にも前述したオートトラッキングが平行して働かされている。なお、アライメントおよびフォーカシングは、赤外光を投光した自然散瞳状態で行われる。
【００４０】
次いでステップＳ２０３にて、制御部８０は、眼底像の取得処理を行う。制御部８０は、ダイクロイックミラー２４および跳ね上げミラー３４を撮影光学系３０ａの光路外に退避する。次いで制御部８０は、撮影光源１４を点灯する。被検者眼Ｅには、ステップＳ２０１で設定した光量の撮影光が投光される。眼底で反射した撮影光は、撮影光学系３０ａの光学部材を介して、撮像素子３５に集光される。次いで、制御部８０は、撮像素子３５の出力信号（撮影画像ＩＭＧａを構成する画像信号）を入力する。撮像素子３５からは、ステップＳ２０１で設定したＩＳＯ感度で撮像された画像信号が出力される。以上説明したように、本実施形態の制御部８０はオートショットを行う。なお、本実施形態の撮像素子３５は、眼底の二次元画像データ（デジタル信号）を出力する。また、制御部８０は、取得した画像信号（画像データ）をＲＡＭ８２に記憶させる。なお、撮影光源１４は撮影中のみ点灯される。つまり、被検者眼Ｅの瞳孔は、撮影光により一旦縮瞳される。しかし、撮影光の点灯は一瞬であり、撮影光が消灯すると、被検者眼Ｅの瞳孔は、徐々に自然散瞳してゆく。なお、被検者眼Ｅの瞳孔は、単位時間内の撮影回数が増えるほど、自然散瞳による散瞳速度が低下してゆく傾向がある。
【００４１】
次いでステップＳ２０４にて、制御部８０は、診断用画像（第１診断用画像）の生成処理を行う。図５（ａ）は、ステップＳ２０３で取得した撮影画像ＩＭＧａである。撮影画像ＩＭＧａは、カラー画像であり、４０００×３０００ピクセルで構成されている。各ピクセルは、Ｒ／Ｇ／Ｂ用の階調データ（８ｂｉｔ）を有する。撮影画像ＩＭＧａには、被検者眼Ｅの情報である眼底像Ｓの領域と、撮影光学系３０ａの光学部材のコバ等が写りこんだ不要領域Ｖが含まれる。
【００４２】
制御部８０は、診断用画像の生成処理として、撮影画像ＩＭＧａに対してトリミングを行う。これにより、検者が診断する際に不要な不要領域Ｖの量が低減される。また、例えば、眼底像Ｓの分解能自体を損なわずに、診断に用いる画像のデータ容量が低減される。制御部８０は、撮影画像ＩＭＧａに対して、図５（ａ）にて破線で示す枠線Ｕａの箇所でトリミングを行う。トリミングした画像データ（つまり、枠線Ｕａ内の画像データ）は、診断用画像ＩＭＧｂとなる。なお、診断用の画像生成処理は、トリミングに限らない。例えば、撮影画像ＩＭＧａの一部領域をマスキングする電子マスク処理を行ってもよい（特開２００３−２２５２０８号参照）。また、各種画像処理（画質変更処理、リサイズ処理等）を行ってもよい。
【００４３】
次いで、ステップＳ２０５にて、制御部８０は、診断用画像ＩＭＧｂおよび確認ダイアログをモニタ８に表示させる。確認ダイアログには、診断用画像ＩＭＧｂを採用するか否かの選択ボタン（ＯＫ，ＮＧの各ボタン）が表示される。検者は、モニタ８に表示される診断用画像ＩＭＧｂを確認して、スイッチ部８４の操作により、診断用画像ＩＭＧｂを採用（ＯＫ）するか否（ＮＧ）かを選択する。制御部８０は、スイッチ部８４の操作を検出する。採用（ＯＫ）が選択された場合はステップＳ１０２に進む。非採用（ＮＧ）が選択された場合はステップＳ２０２に戻る。以上説明したようにして、通常撮影による診断用画像ＩＭＧｂの生成処理が行われる。
【００４４】
＜一括撮影モード・ステレオ撮影＞
図９は、前述したステップＳ１０２（ステレオ撮影制御）での制御の流れを示すフローチャートである。ステレオ撮影制御として、制御部８０は、先ず、ステップＳ３０１を実行する。ステップＳ３０１にて、制御部８０は、眼底撮影装置１の各パラメータを設定する（図１０を合わせて参照）。制御部８０は、次のようにパラメータを設定する。固視標呈示位置を、周辺に設定する。撮像素子３５のＩＳＯ感度を、先の通常撮影とは異なる感度（例えば、ＩＳＯ４００）に設定する。撮影光量を、Ｌｖ．４に設定する。アライメント目標位置を、オフセット位置（右側）に設定する。なお、固視標呈示位置を周辺に設定するとは、被検者眼Ｅの乳頭と、撮影光軸Ｌ１とが重なるよう固視標を呈示（点灯）させる状態である。なお、オフセット位置（右側）とは、撮影部３のアライメント目標位置を、角膜頂点に対して右側にずらす位置である。本実施形態では、アライメント目標位置ＯＲと称する。このように、第１の撮影（ここでは通常撮影）時における撮影光量に対して、第２の撮影（ここではステレオ撮影）時における撮影光量を減光させるとともに、第１の撮影時におけるＩＳＯ感度に対して、第２の撮影時におけるＩＳＯ感度を上げるようにする。第２の撮影におけるこのような撮影条件の変更は、第１の撮影において得られる撮影画像の明るさと同等となることを考慮して種々決定されればよい。
【００４５】
次いで、ステップＳ３０２にて、制御部８０は、アライメント処理を行う。制御部８０は、撮影光軸Ｌ１とアライメント目標位置ＯＲとが一致するように、ＸＹＺ駆動部６を駆動制御する。なお、Ｚ方向のアライメント制御は通常撮影と同様であるため省略する。被検者眼Ｅと撮影部３のアライメント関係が、所定の許容範囲内に収まると、制御部８０は、自動アライメント動作を一旦停止させる。次いで制御部８０は、通常撮影と同様にして、フォーカシングレンズ３２を駆動して、被検者眼Ｅの眼底に対するフォーカシングを行う。
【００４６】
次いでステップＳ３０３にて、制御部８０は、眼底像（右画像）の取得処理を行う。制御部８０は、前述した通常撮影時と同様にして、フォーカシング、ダイクロイックミラー２４および跳ね上げミラー３４の駆動、および撮影光源１４の点灯を行う。被検者眼Ｅには、ステップＳ３０１で設定した光量の撮影光が投光される。眼底で反射した撮影光は、撮影光学系３０ａの光学部材を介して、撮像素子３５に集光される。撮像素子３５からは、ステップＳ３０１で設定したＩＳＯ感度で撮像された画像信号が出力される。制御部８０は、ステップＳ３０３で取得した撮影画像ＩＭＧｄ（図６（ｂ）参照）を、右画像としてＲＡＭ８２に一旦記憶させる。
【００４７】
次いで、ステップＳ３０４にて、制御部８０は、ステップＳ３０３で取得した撮影画像ＩＭＧｄ（右画像）および確認ダイアログをモニタ８に表示させる。確認ダイアログには、撮影画像ＩＭＧｄを採用するか否かの選択ボタン（ＯＫ，ＮＧの各ボタン）が表示される。検者は、モニタ８に表示される撮影画像ＩＭＧｄを確認して、スイッチ部８４の操作により、撮影画像ＩＭＧｄを採用（ＯＫ）するか否（ＮＧ）かを選択する。制御部８０は、スイッチ部８４の操作を検出する。採用（ＯＫ）が選択された場合はステップＳ３０５に進む。非採用（ＮＧ）が選択された場合はステップＳ３０２に戻る。
【００４８】
ステップＳ３０５に進む。ステップＳ３０５では、制御部８０は、アライメント目標位置を変更する。詳細には、左画像を撮影するために、仮想の角膜頂点位置Ｍｏに対して左側にオフセットさせた位置をアライメント目標位置ＯＬとして設定する。
【００４９】
次いでステップＳ３０６にて、制御部８０は、アライメント処理を行う。制御部８０は、撮影光軸Ｌ１とアライメント目標位置ＯＬとが一致するように、ＸＹＺ駆動部６を駆動制御する（図４参照）。つまり、左画像を撮影するためのオートトラッキングが行われる。また、通常撮影時と同様にしてＺ方向のアライメントおよびフォーカシングも行う。
【００５０】
次いでステップＳ３０７にて、制御部８０は、眼底像（左画像）の取得処理を行う。制御部８０は、右画像の取得時と同様にして、フォーカシング、ダイクロイックミラー２４および跳ね上げミラー３４の駆動、および撮影光源１４の点灯を行う。被検者眼Ｅには、ステップＳ３０１で設定した光量の撮影光が投光される。眼底で反射した撮影光は、撮影光学系３０ａの光学部材を介して、撮像素子３５に集光される。撮像素子３５からは、ステップＳ３０１で設定したＩＳＯ感度で撮像された画像信号が出力される。制御部８０は、ステップＳ３０７で取得した撮影画像ＩＭＧｃ（図６（ｂ））を、左画像としてＲＡＭ８２に一旦記憶させる。なお、撮影画像ＩＭＧｄ（右画像）および撮影画像ＩＭＧｃ（左画像）は、共にカラー画像である。
【００５１】
次いで、ステップＳ３０８にて、制御部８０は、ステップＳ３０７で取得した撮影画像ＩＭＧｃ（左画像）および確認ダイアログをモニタ８に表示させる。確認ダイアログには、撮影画像ＩＭＧｃを採用するか否かの選択ボタン（ＯＫ，ＮＧの各ボタン）が表示される。検者は、モニタ８に表示される撮影画像ＩＭＧｃを確認して、スイッチ部８４の操作により、撮影画像ＩＭＧｃを採用（ＯＫ）するか否（ＮＧ）かを選択する。制御部８０は、スイッチ部８４の操作を検出する。採用（ＯＫ）が選択された場合はステップＳ３０９に進む。非採用（ＮＧ）が選択された場合はステップＳ３０６に戻る。
【００５２】
ステップＳ３０９にて、制御部８０は、ステレオ画像の生成処理を行う。先ず、制御部８０は、撮影画像ＩＭＧｄ（右画像）と撮影画像ＩＭＧｃ（左画像）の各々から、所定領域の画像を切り出す。図６（ａ）と図６（ｂ）にて破線で示す枠（枠Ｕｂおよび枠Ｕｃ）は、制御部８０が切り出す領域である。図６（ｃ）は、制御部８０が切り出した切出画像ＩＭＧｅ（左用）である。図６（ｄ）は、制御部８０が切り出した切出画像ＩＭＧｆ（右用）である。制御部８０は、切出画像ＩＭＧｅ（左用）と切出画像ＩＭＧｆ（右用）を左右に並べて、１枚の診断用画像ＩＭＧｇを生成する（図６（ｅ）参照）。
【００５３】
本実施形態では、枠Ｕｂおよび枠Ｕｃの形状、サイズ、および座標に関する情報は、予め不揮発性メモリ８６に記憶されている。もちろん、枠Ｕｂおよび枠Ｕｃの形状、サイズ、および座標を、適宜変更してもよい。スイッチ部８４の操作により、変更可能であってもよい。本実施形態では、制御部８０は、切り出し処理および合成処理を行った。しかし、他の画像処理を行ってもよい。
【００５４】
次いでステップＳ３１０にて、制御部８０は、診断用画像ＩＭＧｇをモニタ８に表示させる。以上説明したようにして、ステレオ撮影による診断用画像ＩＭＧｇの生成処理が行われる。
【００５５】
＜一括撮影モード・出力＞
ステップＳ１０３では、制御部８０は、診断用画像（診断用画像ＩＭＧｂおよび診断用画像ＩＭＧｇ）の出力処理を行う。先ず、制御部８０は、確認ダイアログをモニタ８に表示させる。確認ダイアログには、診断用画像を出力するか否かの選択ボタン（ＯＫ，ＮＧの各ボタン）が表示される。検者は、スイッチ部８４の操作により、診断用画像を採用（ＯＫ）するか否（ＮＧ）かを選択する。制御部８０は、スイッチ部８４の操作を検出する。制御部８０は、採用（ＯＫ）が選択された場合は、診断用画像を出力する。非採用（ＮＧ）が選択された場合はステップＳ１０３を抜ける。制御部８０は、モニタ８に前眼部観察像を表示させて、スタンバイ状態となる。なお、診断用画像を出力した場合も、ステップＳ１０３を抜けてスタンバイ状態となる。
【００５６】
本実施形態では、診断用画像の出力として、メモリ８５への記憶が行われる。しかし、診断用画像の出力態様はこれに限るものではない。診断用画像の出力として、外部ストレージデバイスへの転送（保存）、外部ネットワークへの転送（保存）等が行われてもよい。例えば、外部ネットワークには、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）が接続されており、眼底撮影装置１が出力した診断用画像がＰＡＣＳに保存されてもよい。
【００５７】
＜通常撮影モード＞
次いで、本実施形態の眼底撮影装置１が有する通常撮影モードについて説明する。通常撮影モードでの通常撮影シーケンスと、一括撮影モードでの通常撮影シーケンスとは大部分で一致する。パラメータ（図１０参照）も、大部分で一致する。したがって、相違点を中心として説明する。
【００５８】
通常撮影モードでは、前述したステップＳ２０１〜Ｓ２０５（図８参照）の流れで制御が遷移する。通常撮影モードと一括撮影モードの通常撮影とでは、ステップＳ２０１で設定されるパラメータの値が異なる（図１０（ａ）と図１０（ｂ）を比較されたし）。通常撮影モードでは、固視標呈示位置は任意の位置とされる。つまり、他の撮影モードから通常撮影モードへと移行される際に、固視標呈示位置が自動で変化されることはない。もちろん、通常撮影モード中に、診断目的に応じて、固視標呈示位置を任意の位置へと変更できる。
【００５９】
＜ステレオ撮影モード＞
次いで、本実施形態の眼底撮影装置１が有するステレオ撮影モードについて説明する。ステレオ撮影モードでのステレオ撮影シーケンスと、一括撮影モードでのステレオ撮影シーケンスとは大部分で一致する。しかし、パラメータ（図１０参照）は、大部分で異なる。以降では、相違点を中心として説明する。
【００６０】
ステレオ撮影モードでは、前述したステップＳ３０１〜Ｓ３１０（図８参照）の流れで制御が遷移する。ステレオ撮影モードと一括撮影モードのステレオ撮影とでは、ステップＳ３０１で設定されるパラメータの値が異なる（図１０（ａ）と図１０（ｂ）を比較されたし）。ステレオ撮影モードでは、前述した通常撮影モードと同様に、固視標呈示位置は任意の位置とされる。つまり、他の撮影モードからステレオ撮影モードへと移行される際に、固視標呈示位置が自動で変化されることはない。もちろん、ステレオ撮影モード中に、診断目的に応じて、固視標呈示位置を任意の位置へと変更できる。
【００６１】
ステレオ撮影モードでは、ＩＳＯ感度がＩＳＯ１００に設定される。また、撮影光量は、Ｌｖ．８に設定される。つまり、ステレオ撮影モードでは、ＩＳＯ感度および撮影光量が、通常撮影モードと同じ設定とされる。
【００６２】
以上説明したように、本実施形態の眼底撮影装置１は、複数の撮影モードを有している。検者は、複数の撮影モードから、診断目的に沿った撮影モードを選択して撮影を行える。例えば、本実施形態の撮影モードはいずれもカラー撮影であるが、各々の撮影モードに適した撮影パラメータへと自動で設定変更される。これにより、検者の操作手間が低減される。また、撮影ミスが抑制される。
【００６３】
また、本実施形態の一括撮影モードは、通常撮影とステレオ撮影とが一括して行われる。通常撮影モードとステレオ撮影モードとを検者が各々選択して撮影する場合に対して、例えば、検者の操作手間が低減される。これにより、装置の使用に不慣れな検者であっても、速やかに撮影を行える。
【００６４】
また、本実施形態の一括撮影モードでは、被検者眼Ｅの縮瞳を抑制するパラメータ設定がなされる。これにより、被検者の負担が低減される。また、本実施形態の眼底撮影装置１は、赤外光で観察し、可視光で撮影を行う。つまり、本実施形態の眼底撮影装置１は、無散瞳撮影が可能とされている。したがって、前述した縮瞳抑制がより効果的に働く。縮瞳が抑制されることで、効率よく、種類が異なる診断用画像を取得し易くなる。したがって、通常撮影のみ、またはステレオ撮影のみの場合に対して、本実施形態の一括撮影モードでは、より他角的な診断を行い易くなる。
【００６５】
また、本実施形態の一括撮影モードでは、通常撮影、ステレオ撮影の順で撮影が行われる。これにより、例えば、被検者の縮瞳を抑制しつつ、好適な診断用画像を生成できる。詳細には、通常撮影で診断用画像を生成する際には、取得した眼底像Ｓ全体を使用する。しかし、ステレオ撮影で診断用画像を生成する際には、取得した眼底像Ｓの一部領域のみを使用する。よって、ステレオ撮影の方が、縮瞳した際の影響が少ないと考えられる。また、ステレオスコープ等を用いた立体観察状態は、２回の撮影で取得された２種類の画像を同時に視認した状態となる。このような立体観察状態では、２種類の画像（例えば、切出画像ＩＭＧｅ，切出画像ＩＭＧｆ）を略平均化して視認しているといえる。したがって、画質劣化が顕著になり難い。
【００６６】
なお、本実施形態では、通常撮影とステレオ撮影を例に挙げて説明したが、これに限るものではなく、例えば通常撮影を少なくとも２回連続して行ったり、通常撮影とパノラマ撮影との組み合わせ、等、同種又は異なる種類の撮影モードを連続して行うような一括撮影の場合に適用できることは言うまでもない。
【００６７】
さらに、本実施形態では第１の撮影と第２の撮影をセミオートで行うものとしているが、これに限るものではなく、手動，自動に限らず、一括撮影のモードの設定に基づいて、第１の撮影における撮影条件（撮影光量，ＩＳＯ感度）に対して第２の撮影における撮影条件（撮影光量，ＩＳＯ感度）が異なるように設定されればよい。
【００６８】
今回開示された実施形態はすべての点で例示であって、制限的なものではないと考えられるべきである。本発明の範囲は、上記した説明ではなく、特許請求の範囲によって示され、特許請求の範囲及びこれと均等の意味及び範囲内でのすべての変更が含まれることが意図される。
【符号の説明】
【００６９】
１    ：眼底撮影装置
１０  ：照明光学系
３０ａ：撮影光学系
３５  ：撮像素子
Ｅ    ：被検者眼
【図１】
2017064188.tif 000003
【図２】
2017064188.tif 000004
【図３】
2017064188.tif 000005
【図４】
2017064188.tif 000006
【図５】
2017064188.tif 000007
【図６】
2017064188.tif 000008
【図７】
2017064188.tif 000009
【図８】
2017064188.tif 000010
【図９】
2017064188.tif 000011
【図１０】
2017064188.tif 000012